(57)【要約】  本発明は、移動端末装置（４０１）、基地局（４００）および方法に関する。この方法は、移動端末装置から基地局へのＣＱＩ報告用のチャネル品質インジケータ（ＣＱＩ）報告フォーマットで、かつ選択送信アンテナ構成に依存するＣＱＩ報告フォーマットの使用を可能にする。移動端末装置（４００）は、相当数の送信アンテナから相当数のサブキャリア（４１２）を含む信号（４０４）を受信し、選択送信アンテナ構成に基づきサブキャリア集合に関するＣＱＩ報告フォーマットを決定するように構成されている。移動端末装置は、決定したＣＱＩ報告フォーマットに従ってこれらのサブキャリアにかかわる相当数のＣＱＩ値（４０９）を決定し、ＣＱＩ値をフィードバック信号（４０８）で基地局に送信するようにさらに構成されている。ＣＱＩ報告フォーマットは、ＣＱＩ報告の精度が選択送信アンテナ構成に基づくように、選択送信アンテナ構成に適合される。
2010532950.tif 000002
【特許請求の範囲】
【請求項１】
無線通信システム（４２０）に用いられる移動端末装置（４０１）であって、
Ｍ個の送信アンテナ（４０３−１，４０３−２，４０３−３，４０３−４）からの多数のサブキャリア（４１２）を含む信号（４０４）を受信するための受信部（４０５）と、
前記サブキャリアの集合に関連付けられた選択された送信アンテナ構成に基づいてサブキャリアの前記集合に対するチャネル品質インジケータ（ＣＱＩ）報告フォーマットを決定し、該決定されたＣＱＩ報告フォーマットに従ってサブキャリアの前記集合に関連するＰＣＱＩ個のＣＱＩ値（４０９）を決定するための処理部（４０６）であって、ＣＱＩ報告の粒度が前記選択された送信アンテナ構成の送信アンテナの個数ｍに依存するように前記ＣＱＩ報告フォーマットを前記選択された送信アンテナ構成に適合させるよう構成されている、処理部（４０６）と、
フィードバック信号（４０８）内で前記ＰＣＱＩ個のＣＱＩ値を基地局（４００）に送信するための送信部（４０７）と、
を含むことを特徴とする移動端末装置（４０１）。
【請求項２】
サブキャリア（４０１）の前記集合は、前記ＣＱＩ報告フォーマットに従ってＱ個の非オーバラップのサブキャリア・グループ（１，２，３）に分割されており、前記処理部は、前記選択された送信アンテナ構成の各々の送信アンテナ（４０３−１，４０３−２，４０３−３，４０３−４）に対するサブキャリア・グループ毎に１個のＣＱＩ値（４０９）を決定するよう構成されていることを特徴とする請求項１に記載の移動端末装置（４０１）。
【請求項３】
前記処理部（４０６）は、ＣＱＩ報告の頻度の粒度を前記選択された送信アンテナ構成の送信アンテナの個数ｍに適合させるよう構成されることを特徴とする請求項１または２に記載の移動端末装置（４０１）。
【請求項４】
相違する個数の送信アンテナを有する種々の選択された送信アンテナ構成について前記選択された送信アンテナ構成のｍ個の送信アンテナに対して決定されたＣＱＩ値（４０９）の個数ＰＣＱＩがほぼ同じになるように、サブキャリア・グループの個数Ｑは前記選択された送信アンテナ構成の送信アンテナの個数ｍに基づいていることを特徴とする請求項２に記載の移動端末装置（４０１）。
【請求項５】
前記Ｑ個のサブキャリア・グループは、前記ＣＱＩ報告フォーマットに従ってＴ個の非オーバラップのサブセットに分割されており、前記送信部（４０７）は、各々の期間で１個のサブセットのサブキャリア・グループに関連するＣＱＩ値が送信されるように、Ｔ個の期間の間に前記ＰＣＱＩ個のＣＱＩ値（４０９）を送信するよう構成されることを特徴とする請求項２または４に記載の移動端末装置（４０１）。
【請求項６】
各々の期間で送信されるＣＱＩ値（４０９）の個数がほぼ同じになるように、サブキャリア・グループのサブセットの個数Ｔおよびサブキャリア・グループの個数Ｑは、前記ＣＱＩ報告フォーマットに従った前記選択された送信アンテナ構成の送信アンテナ（４０３−１，４０３−２，４０３−３，４０３−４）の個数に適合していることを特徴とする請求項５に記載の移動端末装置（４０１）。
【請求項７】
相違する個数の送信アンテナを含む種々の選択された送信アンテナ構成について各々の期間で送信されるＣＱＩ値（４０９）の個数がほぼ同じになるように、サブキャリア・グループのサブセットの個数Ｔおよびサブキャリア・グループのサイズは、前記ＣＱＩ報告フォーマットに従った前記選択された送信アンテナ構成の送信アンテナ（４０３−１，４０３−２，４０３−３，４０３−４）の個数に更に適合していることを特徴とする請求項６に記載の移動端末装置（４０１）。
【請求項８】
前記処理部（４０６）は、ＣＱＩ報告の時間の粒度を前記選択された送信アンテナ構成の送信アンテナの個数に適合させるように構成されることを特徴とする請求項１または２に記載の移動端末装置（４０１）。
【請求項９】
前記送信部（４０７）は、Ｔ個の期間の間に前記ＰＣＱＩ個のＣＱＩ値を送信するよう構成されており、Ｔは前記選択された送信アンテナ構成の送信アンテナの個数に依存することを特徴とする請求項８に記載の移動端末装置（４０１）。
【請求項１０】
前記処理部（４０６）は、前記選択されたアンテナ構成を選択し、前記フィードバック信号（４０８）内で前記基地局（４００）に送信されるアンテナ構成情報（４１１）を確立するよう更に構成されており、前記アンテナ構成情報は前記選択されたアンテナ構成を記述することを特徴とする請求項１乃至９の何れか一項に記載の移動端末装置（４０１）。
【請求項１１】
前記アンテナ構成情報（４１１）は、サブキャリアの前記集合の各々のサブキャリア（４１２）と関連する送信アンテナのサブセットを特定することを特徴とする請求項１０に記載の移動端末装置（４０１）。
【請求項１２】
前記選択された送信アンテナ構成は、前記Ｍ個の送信アンテナ（４０３−１，４０３−２，４０３−３，４０３−４）の中のｍ個（ｍ≦Ｍ）の送信アンテナのサブセットであることを特徴とする請求項１１に記載の移動端末装置（４０１）。
【請求項１３】
前記アンテナ構成情報（４１１）は、サブキャリアの前記集合の各々のサブキャリア（４１２）と関連する送信アンテナの復号順序を特定することを特徴とする請求項１０に記載の移動端末装置（４０１）。
【請求項１４】
ｍ＝Ｍでありかつ前記Ｍ個の送信アンテナの復号順序を特定するように、前記選択された送信アンテナ構成は、前記Ｍ個の送信アンテナ（４０３−１，４０３−２，４０３−３，４０３−４）の全てを含むことを特徴とする請求項１３に記載の移動端末装置（４０１）。
【請求項１５】
前記送信部（４０７）は、前記ＣＱＩ値（４０９）の最下位ビットを固定またはランダムなパターンでパンクチャリングすることによって、前記フィードバック信号（４０８）内で前記アンテナ構成情報（４１１）を送信するよう構成されることを特徴とする請求項１０乃至１４の何れか一項に記載の移動端末装置（４０１）。
【請求項１６】
移動端末装置（４０１）における方法であって、
Ｍ個の送信アンテナ（４０３−１，４０３−２，４０３−３，４０３−４）からの多数のサブキャリア（４１２）を含む信号を受信するステップ（５００）と、
前記サブキャリアの集合に関連付けられた選択された送信アンテナ構成に基づいてサブキャリアの前記集合に対するチャネル品質インジケータ（ＣＱＩ）報告フォーマットを決定するステップ（５０１）であって、ＣＱＩ報告の粒度が前記選択された送信アンテナ構成の送信アンテナの個数ｍに依存するように前記ＣＱＩ報告フォーマットは前記選択された送信アンテナ構成に適合している、ステップと、
前記決定されたＣＱＩ報告フォーマットに従ってサブキャリアの前記集合に関連するＰＣＱＩ個のＣＱＩ値（４０９）を決定するステップ（５０２）と、
フィードバック信号（４０８）内で前記ＰＣＱＩ個のＣＱＩ値を基地局（４００）に送信するステップ（５０３）と、
を含むことを特徴とする方法。
【請求項１７】
サブキャリアの前記集合は、前記ＣＱＩ報告フォーマットに従ってＱ個の非オーバラップのサブキャリア・グループ（１，２，３）に分割されており、前記選択された送信アンテナ構成の各々の送信アンテナに対するサブキャリア・グループ毎に１個のＣＱＩ値（４０９）が決定されることを特徴とする請求項１６に記載の方法。
【請求項１８】
ＣＱＩ報告の頻度の粒度は、前記選択された送信アンテナ構成の送信アンテナの個数ｍに適合していることを特徴とする請求項１６または１７に記載の方法。
【請求項１９】
相違する個数の送信アンテナを有する種々の選択された送信アンテナ構成について前記選択された送信アンテナ構成のｍ個の送信アンテナに対して決定されたＣＱＩ値（４０９）の個数ＰＣＱＩがほぼ同じになるように、サブキャリア・グループの個数Ｑは前記選択された送信アンテナ構成の送信アンテナの個数ｍに基づいていることを特徴とする請求項１７に記載の方法。
【請求項２０】
前記Ｑ個のサブキャリア・グループは、前記ＣＱＩ報告フォーマットに従ってＴ個の非オーバラップのサブセットに分割されており、各々の期間で１個のサブセットのサブキャリア・グループに関連するＣＱＩ値が送信されるように、前記ＰＣＱＩ個のＣＱＩ値（４０９）はＴ個の期間の間に送信されることを特徴とする請求項１７または１９に記載の方法。
【請求項２１】
各々の期間で送信されるＣＱＩ値の個数がほぼ同じになるように、サブキャリア・グループのサブセットの個数Ｔおよびサブキャリア・グループの個数Ｑは、前記ＣＱＩ報告フォーマットに従った前記選択された送信アンテナ構成の送信アンテナの個数に適合していることを特徴とする請求項２０に記載の方法。
【請求項２２】
相違する個数の送信アンテナを含む種々の選択された送信アンテナ構成について各々の期間で送信されるＣＱＩ値の個数がほぼ同じになるように、サブキャリア・グループのサブセットの個数Ｔおよびサブキャリア・グループ（１，２，３）のサイズは、前記ＣＱＩ報告フォーマットに従った前記選択された送信アンテナ構成の送信アンテナの個数に更に適合していることを特徴とする請求項２１に記載の方法。
【請求項２３】
ＣＱＩ報告の時間の粒度を前記選択された送信アンテナ構成の送信アンテナの個数に適合していることを特徴とする請求項１６または１７に記載の方法。
【請求項２４】
前記ＰＣＱＩ個のＣＱＩ値はＴ個の期間の間に送信され、Ｔは前記選択された送信アンテナ構成の送信アンテナの個数に依存することを特徴とする請求項２３に記載の方法。
【請求項２５】
前記選択されたアンテナ構成を選択するステップと、前記選択されたアンテナ構成を記述するアンテナ構成情報（４１１）を確立するステップと、前記フィードバック信号（４０８）内で前記基地局に前記アンテナ構成情報を送信するステップと、を更に含むことを特徴とする請求項１６乃至２４の何れか一項に記載の方法。
【請求項２６】
前記アンテナ構成情報は、サブキャリアの前記集合の各々のサブキャリア（４１２）と関連する送信アンテナのサブセットを特定することを特徴とする請求項２５に記載の方法。
【請求項２７】
前記選択された送信アンテナ構成は、前記Ｍ個の送信アンテナ（４０３−１，４０３−２，４０３−３，４０３−４）の中のｍ個（ｍ≦Ｍ）の送信アンテナのサブセットであることを特徴とする請求項２６に記載の方法。
【請求項２８】
前記アンテナ構成情報（４１１）は、サブキャリアの前記集合の各々のサブキャリアと関連する送信アンテナの復号順序を特定することを特徴とする請求項２５に記載の方法。
【請求項２９】
ｍ＝Ｍでありかつ前記Ｍ個の送信アンテナの復号順序を特定するように、前記選択された送信アンテナ構成は、前記Ｍ個の送信アンテナ（４０３−１，４０３−２，４０３−３，４０３−４）の全てを含むことを特徴とする請求項２８に記載の方法。
【請求項３０】
前記アンテナ構成情報（４１１）は、前記ＣＱＩ値（４０９）の最下位ビットを固定またはランダムなパターンでパンクチャリングすることによって、前記フィードバック信号（４０８）内で送信されることを特徴とする請求項２５乃至２９の何れか一項に記載の方法。
【請求項３１】
無線通信システム（４２０）に用いられる基地局（４００）であって、
Ｍ個の送信アンテナ（４０３−１，４０３−２，４０３−３，４０３−４）からの多数のサブキャリア（４１２）を含む信号（４０４）を送信するための送信部（４１０）と、
移動端末装置（４０１）からフィードバック信号（４０８）を受信するための受信部（４２１）と、
前記サブキャリアの集合に関連するＰＣＱＩ個のＣＱＩ値（４０９）を抽出し選択された送信アンテナ構成を特定するアンテナ構成情報（４１１）を抽出するためにフィードバック信号を処理するための処理部（４０２）であって、ＣＱＩ報告の粒度が前記選択された送信アンテナ構成の送信アンテナの個数に依存するように、前記ＣＱＩ値は前記選択された送信アンテナ構成に依存するＣＱＩ報告フォーマットに従っている、処理部と、
を含むことを特徴とする基地局（４００）。
【請求項３２】
サブキャリアの前記集合は、前記ＣＱＩ報告フォーマットに従ってＱ個の非オーバラップのサブキャリア・グループ（１，２，３）に分割されており、前記ＣＱＩ値（４０９）の各々は、前記サブキャリア・グループの１つと前記選択された送信アンテナ構成の送信アンテナの１つとに関連していることを特徴とする請求項３１に記載の基地局（４００）。
【請求項３３】
前記ＣＱＩ報告フォーマットの頻度の粒度は、前記選択された送信アンテナ構成の送信アンテナの個数ｍに適合していることを特徴とする請求項３１または３２に記載の基地局（４００）。
【請求項３４】
前記Ｑ個のサブキャリア・グループは、前記ＣＱＩ報告フォーマットに従ってＴ個の非オーバラップのサブセットに分割されており、前記受信部（４２１）は、各々の期間で１個のサブセットのサブキャリア・グループに関連するＣＱＩ値が受信されるように、Ｔ個の期間の間に前記ＰＣＱＩ個のＣＱＩ値（４０９）を受信するよう構成されることを特徴とする請求項３２に記載の基地局（４００）。
【請求項３５】
前記ＣＱＩ報告フォーマットの時間の粒度は、前記選択された送信アンテナ構成の送信アンテナの個数に適合していることを特徴とする請求項３１または３２に記載の基地局（４００）。
【請求項３６】
前記受信部（４２１）は、Ｔ個の期間の間に前記ＰＣＱＩ個のＣＱＩ値を受信するよう構成されており、Ｔは前記選択された送信アンテナ構成の送信アンテナの個数に依存することを特徴とする請求項３５に記載の基地局（４００）。
【請求項３７】
前記アンテナ構成情報（４１１）は、サブキャリアの前記集合の各々のサブキャリア（４１２）と関連する送信アンテナのサブセットを特定することを特徴とする請求項３１乃至３６の何れか一項に記載の基地局（４００）。
【請求項３８】
前記アンテナ構成情報（４１１）は、サブキャリアの前記個数の各々のサブキャリア（４１２）と関連する送信アンテナの復号順序を特定することを特徴とする請求項３１乃至３６の何れか一項に記載の基地局（４００）。
【請求項３９】
前記処理部（４０２）は、前記アンテナ構成情報を搬送するために固定またはランダムなパターンでパンクチャリングされている前記ＣＱＩ値（４０９）の最下位ビットから前記アンテナ構成情報（４１１）を抽出するよう構成されることを特徴とする請求項３１乃至３６の何れか一項に記載の基地局（４００）。
【発明の詳細な説明】
【技術分野】
【０００１】
本発明は、無線通信システムにおけるチャネル品質インジケータ（ＣＱＩ）報告のための方法および装置に関し、より詳細には、考慮されているアンテナ構成にＣＱＩ報告を適合可能にする方法および装置に関するものである。
【背景技術】
【０００２】
高速パケットアクセス（ＨＳＰＡ）に関する３ＧＰＰのＷＣＤＭＡ規格、またはプロジェクト名ＬＴＥ（ロング・ターム・エボリューション）のもとで現在開発されている３ＧＰＰ規格に準拠して動作するシステムなどの無線通信システムでは、基地局（ＮｏｄｅＢまたはｅＮｏｄｅＢとも呼ばれる）は、共有ダウンリンクチャネルで相当数の移動端末（ユーザ装置ＵＥとも呼ばれる）に送信できる。様々な送信技術に準拠するこの送信に、１つまたは複数の送信アンテナがかかわってもよい。基地局は、例えば適切なデータレート、変調スキームおよび送信電力を決定するために、チャネルが現在どのくらい”良好”かの尺度を有する必要がある。それ故、移動端末は、アップリンクで基地局に継続的にフィードバックされるチャネル品質インジケータ（ＣＱＩ）値を用いて、基地局にチャネル品質測定値を提供する。移動端末は、例えば基地局から送信されたパイロット信号などで行った測定に基づきＣＱＩ値を決定する。通信システムのタイプ次第で、相当数の可能なチャネル品質レベルが指定されてもよく、各チャネル品質レベルは特定のチャネル品質測定値に対応し、各レベルは、例えば４ビットワードなどで表されるＣＱＩ値にそれぞれ関連付けられてもよい。
【０００３】
ＣＱＩ報告により、基地局は、基地局のダウンリンク送信を変化するチャネル品質に適応させることが可能になる。しかし、アップリンクの帯域幅リソースは限られている。それ故、ＣＱＩ報告に関連して２つの競合する事項がある。１つは、変化するチャネル品質に基地局が最良のやり方でその送信を適応できるように、できるだけ詳細なＣＱＩ報告をできるだけ頻繁に提供することである。もう１つは、利用可能なアップリンク帯域幅をできるだけ使わないようにＣＱＩ報告の量を少なくしておくことである。
【０００４】
マルチアンテナスキームの使用は、ＣＱＩ報告をシングルアンテナスキームのＣＱＩ報告よりはるかに複雑にする。ＷＣＤＭＡシステムの高速ダウンリンク・パケットデータアクセス（ＨＳＤＰＡ）モード用に提案されたマルチアンテナの概念では、送信するアンテナサブセットの選択は、高速リンクアダプテーションの拡張と考えられている。これは、常に同じアンテナから送信するマルチアンテナスキームに比べて、伝播状態により緊密に適合したアンテナ形態での送信につながる。ＨＳＤＰＡのアンテナ毎のレート制御（ＰＡＲＣ）は、より高いダウンリンクデータレートを提供するマルチアンテナ・アプローチの１つである。このアプローチでは、各送信アンテナにマッピングされたデータストリームに対して、個別の送信レートが与えられる。レートも送信アンテナサブセットも適応して選択されるとき、これはＳ−ＰＡＲＣ（選択的ＰＡＲＣ）と呼ばれる。移動端末で推定され、アップリンクで基地局に送信されるＣＱＩは、リンクアダプテーションプロセスの一部であり、アンテナ選択およびレート割り当てを実行可能にする。異なるアンテナから送信された信号は相互に干渉するので、ＣＱＩ推定値は、送信アンテナの各組み合わせに対して変化する。各組み合わせのもとでの各アンテナに対するＣＱＩ推定値を提供することにより、シングルアンテナ送信に比べて、利用可能なアップリンクリソースの多くの量を使用する。
【０００５】
使用される受信機のタイプによっては、基地局にフィードバックされるＣＱＩ値の個数を増加させることもある。例えば、連続干渉キャンセラ（ＳＩＣ）受信機を使用すると、アンテナの（組合せよりはむしろ）各順列に対して個別のＣＱＩ値があるように、送信アンテナの復号順序を認識する。ＨＳＤＰＡに関しては、個別のユーザにより高いデータレートで送信するため、または、複数のユーザにより低いレートで同時に送信するために、複数の拡散コードが使用される。前に提案されたマルチアンテナ・アプローチの拡散コードを節約して使うために、異なる送信アンテナの全部で拡散コードが再使用される。実際のところ、ＣＱＩ報告は、ユーザに割り当てられたある固定数の拡散コードの想定のもとでたいてい行われる。異なる数の拡散コードに対するＣＱＩ値を取得するために、ＣＱＩ値は適切に基準化される。これが可能なのは、すべての拡散コードが同じ伝播チャネル上を送信されるからである。
【０００６】
ＬＴＥおよびＷｉＭＡＸなどのＯＦＤＭシステムに関しては、周波数帯は、多くの個別のサブキャリアに細分されている。伝播チャネルの中のばらつき量次第では、周波数帯の異なる部分は、場合によっては異なるフェージングを実際に受けることがある。極端な場合、ばらつきが非常に大きいときは、各サブキャリアのフェージングが異なるかもしれない。これは、ユーザが異なるサブキャリアに適応的に割り当てられるとき、ＣＱＩ報告プロセスをさらに複雑にする。Ｓ−ＰＡＲＣに関しては、ＣＱＩ報告の量は、報告される異なるアンテナ組合せ（順列）数によって既に増加している。周波数帯のサブキャリアへの細分で、報告されてもよいＣＱＩの量はさらにいっそう増大する。
【０００７】
上述のように、ＣＱＩを確実に送信でき、かつアップリンク帯域幅の大きな部分を使い尽くさないように、ＣＱＩ報告に使用されるフィードバックの量を少ないままにしておくことが望ましい。このことは、システム内のアクティブな移動端末数が増加すると、特に重要になる。
【０００８】
Ｓ−ＰＡＲＣのＣＱＩフィードバックの複雑さを減らす１つのアプローチが、ＳＩＣ受信機の使用と合わせて、特許文献１に記載されている。このアプローチでは、最高のレートを提供するアンテナをまず選択し、それをシングルアンテナ送信に使用する。２つのアンテナでの送信の考慮においては、２アンテナのサブセットは、シングルアンテナ送信用に前に見つけた最善のアンテナと次善のレートを有するアンテナとを含むように強制される。このアプローチは、３アンテナのサブセットおよび４アンテナのサブセットに関して繰り返され、一般にアンテナ選択に関する”サブセット属性”と呼ばれる。暗黙のうちに、最初のアンテナが最大の送信レートを有するのに対して、最後のアンテナが最小の送信レートを有するような順序がアンテナに与えられる。この最小レートから最大レートへの順序は、ＳＩＣ受信機が受信信号を処理する順序である。このようにして、多数のアンテナの順序付けは、このサブセット属性の使用によりアンテナ順序およびサブセット選択に制約を加えることによって回避される。
【０００９】
明らかに、各サブキャリアに対するアンテナ順序の報告の試みは、ＣＱＩフィードバックの点から見て非常にコストがかかるであろう。さらに、その試みは、送信されるストリームが異なるサブキャリア上で符号化されそうであり、かつＳＩＣ受信機が検出プロセスの一部として復号化信号／再符号化信号を利用するので、実用的ではないであろう。
【先行技術文献】
【特許文献】
【００１０】
【特許文献１】米国特許出願公開第２００５／０２５０５４４（Ａ１）号明細書
【発明の概要】
【発明が解決しようとする課題】
【００１１】
上述のように、報告され得るＣＱＩの量は、複数のアンテナを含むアンテナ構成の使用で増加する。それ故、本発明の１つの目的は、ＣＱＩ報告の量を考慮されているアンテナ構成に適応可能にする方法および装置を提供することである。
【課題を解決するための手段】
【００１２】
上述の目的は、特許請求の範囲に記載の移動端末、基地局および方法を用いて達成される。
【００１３】
本発明の第１の実施形態は、無線通信システムで使用する移動端末装置を提供する。移動端末装置は、Ｍ個の送信アンテナから相当数のサブキャリアを含む信号を受信する受信部を備える。移動端末装置は、サブキャリア集合に関連付けられている選択送信アンテナ構成に基づき、サブキャリア集合に関するＣＱＩ報告フォーマットを決定し、かつ決定したＣＱＩ報告フォーマットに従ってサブキャリア集合にかかわるＰＣＱＩ個のＣＱＩ値を決定する処理部も備える。処理部は、ＣＱＩ報告の精度が選択送信アンテナ構成の送信アンテナの個数ｍに依存するように、ＣＱＩ報告フォーマットを選択送信アンテナ構成に適応させるように構成されている。移動端末装置は、フィードバック信号の中で基地局にＰＣＱＩ個のＣＱＩ値を送信する送信部もさらに備える。
【００１４】
本発明の第２の実施形態は、移動端末装置の方法を提供する。方法は、Ｍ個の送信アンテナから相当数のサブキャリアを含む信号を受信する工程を備える。方法は、サブキャリア集合に関連付けられている選択送信アンテナ構成に基づき、サブキャリア集合に関するＣＱＩ報告フォーマットを決定する工程も備える。ＣＱＩ報告フォーマットは、ＣＱＩ報告の精度が選択送信アンテナ構成の送信アンテナの個数ｍに依存するように、選択送信アンテナ構成に適応される。方法は、決定したＣＱＩ報告フォーマットに従ってサブキャリア集合にかかわるＰＣＱＩ個のＣＱＩ値を決定する工程と、フィードバック信号の中で基地局にＰＣＱＩ個のＣＱＩ値を送信する工程とをさらに備える。
【００１５】
本発明の第３の実施形態は、無線通信システムで使用する基地局を提供する。基地局は、Ｍ個の送信アンテナから相当数のサブキャリアを含む信号を送信する送信部を備える。基地局は、移動端末装置からフィードバック信号を受信する受信部と、サブキャリア集合にかかわるＰＣＱＩ個のＣＱＩ値を取り出すため、および選択送信アンテナ構成を指定するアンテナ構成情報を取り出すために、フィードバック信号を処理する処理部も備える。ＣＱＩ値は、ＣＱＩ報告の精度が選択送信アンテナ構成のアンテナ数に依存するように、選択送信アンテナ構成に依存するＣＱＩ報告フォーマットに合っている。
【００１６】
本発明の実施形態の利点および特徴は、図面とともに以下の詳細説明を読むと、明らかになるであろう。
【図面の簡単な説明】
【００１７】
【図１】本発明を実施し得る無線通信システムを示す概念図である。
【図２】本発明の一実施形態による１送信アンテナ用のＣＱＩ報告フォーマットを示す概念図である。
【図３】本発明の代替実施形態による２送信アンテナ用のＣＱＩ報告フォーマットを示す概念図である。
【図４】本発明の別の代替実施形態による４送信アンテナ用のＣＱＩ報告フォーマットを示す概念図である。
【図５】本発明のまた別の代替実施形態による２送信アンテナ用の代替ＣＱＩ報告フォーマットを示す概念図である。
【図６】本発明のさらなる代替実施形態による４送信アンテナ用の別の代替ＣＱＩ報告フォーマットを示す概念図である。
【図７】本発明の一実施形態による方法を示すフロー図である。
【図８】本発明の一実施形態によるＣＱＩ値を決定する方法を示すフロー図である。
【発明を実施するための形態】
【００１８】
本発明について、これより本発明の好ましい実施形態を示す添付図面を参照して、より詳しく以下に説明する。しかし、本発明は、多くの異なる形態で具体化されてもよいので、本明細書に記載の実施形態に限定されると解釈すべきでない。それどころか、これらの実施形態は、本開示が徹底的で全部そろっており、当業者に本発明の範囲を十分に伝えるために提供されている。
【００１９】
ＣＱＩ報告を減らすために行い得る様々なトレードオフがあることが認識されている。本発明は、基地局からの送信に使用されると考えられる適応アンテナ構成に合わせた時間、空間および周波数に関する精度を有するＣＱＩを報告する実施形態を開示する。さらに、移動端末から基地局へこのＣＱＩ情報を報告するためのシグナリングスキームも開示している。ＯＦＤＭシステムに関しては、ユーザは時間および周波数にわたって特定のサブキャリアの使用を割り当てられるので、同じように時間および周波数範囲に一致するＣＱＩ報告を有することが望ましい。このような考慮事項が発生するのは、例えばユーザがＯＦＤＭ信号帯域幅全体の中のサブバンド内に適応的にスケジュールされるとき、または周波数帯を区切る固定サブキャリアが使用されるときである。ＣＱＩを確実に送信でき、かつアップリンク帯域幅の大きな部分を使い尽くさないように、ＣＱＩ報告に使用されるフィードバックの量を少ないままにしておくことが望ましい。このことは、システム内のアクティブな移動端末数が増加すると、特に重要になる。
【００２０】
図１は、本発明を実施し得る無線アクセス技術として例えばＯＦＤＭを実施するＬＴＥシステムなどの、無線通信システム４２０の概略のブロック図である。システム４２０は、無線基地局４００（ＬＴＥ技術によればｅＮＢ（エボルブドＮｏｄｅＢ）とも呼ばれる）および移動端末装置４０１を備え、この移動端末装置４０１は、例えば移動電話機、ラップトップコンピュータ、パーソナル・デジタル・アシスタント（ＰＤＡ）または他のタイプのユーザ装置（ＵＥ）でもよい。移動端末装置４０１および基地局４００のある種の詳細および構成要素は、当業者に周知であることを理解すべきである。それ故、明瞭にするために、以下に記載する移動端末装置４０１および基地局４００の説明では、本発明の理解に必要のない周知の詳細および構成要素を省略している。
【００２１】
図１に示されているように、基地局４００は、４つの送信アンテナ４０３−１、４０３−２、４０３−３および４０３−４を有する。しかし、本発明は、任意の個数のアンテナを有する基地局と一緒に使用されてもよい。本願では、基地局の送信アンテナ数を示すためにＭを使用する。基地局４００は、この例ではＯＦＤＭ信号であり、相当数のサブキャリア４１２を含む共有ダウンリンク（ＤＬ）信号４０４を、移動端末４０１などの相当数の移動端末に送信する送信部４１０をさらに有する。様々なサブキャリア４１２が、様々な移動端末にデータおよび／またはシグナリングを伝えるために、適応的に割り当てられてもよい。図１は、ＯＦＤＭ信号４０４のタイムスロットの概略図も示し、この例では、ＯＦＤＭ信号４０４は、７つのＯＦＤＭシンボルによる６００のサブキャリア４１２から成ると想定している。基地局４００は、移動端末装置４０１からのアップリンク信号４０８などの、移動端末からのアップリンク（ＵＬ）信号を受信する受信部４２１も有する。アップリンク信号４０８には、ＣＱＩ値４０９などのフィードバック情報が含まれてもよい。基地局は、例えばＣＱＩ値を取り出し解釈するなど、処理部４０２を用いてフィードバック信号４０８を処理することができる。
【００２２】
基地局４００は、様々な決定アンテナ構成に従って、送信アンテナ４０３−１、４０３−２、４０３−３、４０３−４の全部またはサブセットから、様々なサブキャリア４１２でデータおよび／またはシグナリングを送信することを選択してもよい。本願では、基地局が隣接するサブキャリアの集合に対してアンテナ構成を決定すると想定している。基地局が送信アンテナのあるサブセットだけからデータを送信することを選択した場合でさえ、本明細書では、例えばチャネル品質測定などの目的で、パイロット信号が常に各アンテナから送信されると想定している。それ故、移動端末４０１は、送信アンテナのすべてからのすべてのサブキャリアに関するＣＱＩ値を推定することが常に可能になる。
【００２３】
移動端末装置４０１は、ダウンリンク信号４０４を受信する受信部とアップリンク信号４０８を送信する送信部とを有する。移動端末装置は、処理部４０６をさらに備えており、この処理部４０６は、例えばＣＱＩ報告に使用されるＣＱＩ報告フォーマットを決定することができるが、これについては以下でさらに説明する。
【００２４】
基地局４００から移動端末４０１へのダウンリンクのチャネル品質は周波数帯によって変わり、それ故、異なるサブキャリア４１２間で異なる。サブキャリアのチャネル品質は、サブキャリアがどの送信アンテナから送信されるか、および他の送信アンテナからの干渉にも依存するであろう。それ故、移動端末装置は、理想的には各アンテナおよび可能な各送信アンテナ構成に関して、サブキャリアごとに１つのＣＱＩ値を決定すべきである。しかし、たいていの場合に可能なすべてのアンテナ構成に関してＣＱＩ値を報告することは高価すぎるだろうから、本発明の実施形態によれば、移動端末はサブキャリア集合に対してアンテナ構成を選択し、この選択アンテナ構成に関してその集合のサブキャリアに対するＣＱＩ値を推定する。様々なサブキャリア集合に適用される選択アンテナ構成を指定する情報は、アンテナ構成情報４１１の形態でアップリンク信号４０８の中で基地局４００に報告されることになるが、これについては図１に概略的に示されている。次いで基地局は、選択送信アンテナ構成に従って、または選択送信アンテナ構成とは異なる別の決定アンテナ構成に従って、送信を決定することができる。本願では、用語”選択アンテナ構成”は、移動端末４０１がＣＱＩ値を推定するとき考慮し選択したアンテナ構成を示すために使用されるのに対して、用語”決定アンテナ構成”は、基地局４００が送信に使用するために決定したアンテナ構成を示すために使用される。さらに、選択アンテナ構成のアンテナ数はｍで示され、１≦ｍ≦Ｍである。
【００２５】
移動端末の受信部４０５のタイプ次第では、ＣＱＩ値の計算は選択アンテナ構成に含まれている送信アンテナだけでなく、様々なアンテナからの信号が復号される順序にも依存してもよい。それ故、選択アンテナ構成は、復号順序がＣＱＩ値の推定に影響を及ぼす場合に、選択アンテナ順序を備えることになる。復号順序が問題でない場合は、選択アンテナ構成は、考慮された送信アンテナのサブセットだけ、すなわち順序付けせずに指定することになる。これについては、実施形態の２つの特定の例との関連で以下にさらに説明する。
【００２６】
本発明の実施形態によれば、移動端末の処理部４０６は、選択送信アンテナ構成の送信アンテナの個数ｍに基づき、ＣＱＩ報告に使用されるＣＱＩ報告フォーマットを決定するように構成されている。本発明の実施形態によれば、ＣＱＩ報告フォーマットは、ＣＱＩ報告の精度が選択送信アンテナ構成の送信アンテナの個数ｍに依存するように構成されている。選択送信アンテナ構成は異なるサブキャリア集合間で異なってもよいので、ＣＱＩ報告フォーマットは、同様に異なるサブキャリア集合間で異なってもよい。本発明の異なる実施形態によるＣＱＩ報告フォーマットの幾つかの異なる例について、これより図２〜６を参照してさらに詳細に説明する。簡素化のために、図２〜６に表されているサブキャリアのすべてはそれぞれ、同じ選択アンテナ構成に関連付けられていると想定する。ＯＦＤＭシステムのあらゆるサブキャリアに関して、ＣＱＩ推定を行うことが潜在的にはできよう。しかし、本発明の実施形態によれば、移動端末４０１から基地局４００に送信されるＣＱＩ情報の量は、あらゆるサブキャリアの代わりにサブキャリアの（時間および／または周波数）グループに対してＣＱＩ推定を行うことで減らされる。これについては図２〜６に示されており、そこでは例示のシステム４２０を考慮している。上述のように、ＯＦＤＭ信号は、システム４２０の中で６００のサブキャリアから構成されている。
【００２７】
図２は、シングル送信アンテナを有する選択送信アンテナ構成に関してＣＱＩを報告するＣＱＩ報告フォーマットの概念図である。ＣＱＩ情報の量を減らすために、サブキャリアは７つのＯＦＤＭシンボルによる１５の隣接サブキャリアから成るサブキャリアグループに集合され、各サブキャリアグループに関して１つのＣＱＩ値が推定される。この例では、１つの時間期間に送信されるＯＦＤＭ信号は、４０のタイルに分割されている。各タイルは、７つのＯＦＤＭシンボルによる１５のサブキャリアから成るサブキャリアグループ１を含む。Ｂ＝３２ビットがＣＱＩ報告に割り当てられ、かつ各ＣＱＩ値が４ビットで表される場合、各時間期間中に８つのＣＱＩ値を報告することができ、すべてのサブキャリアに関するＣＱＩを更新するためには、５つの時間期間が必要である。図２によれば、各時間期間に８つのサブキャリアグループのＣＱＩ値が報告される（黒タイルで示される）ことが図式的に示されている。時間期間０では、サブキャリアグループ番号４、９、１４、１９、２４、２９、３４、３９のＣＱＩ値が報告され、時間期間１では、サブキャリアグループ２、７、１２、１７、２２、２７、３２、３７のＣＱＩ値が報告されるなどである。
【００２８】
ＣＱＩ報告に使用されるビット数を維持するために、選択送信アンテナ構成が１つを超えるアンテナを有するとき、本発明の実施形態によれば、複数のアンテナにかかわるＣＱＩ情報を収容するために、ＣＱＩ報告フォーマットの精度が粗くされる。精度は、周波数および／または時間に関して変更されてもよい。隣接サブキャリアから成るサブキャリアグループを大きくすることによって、周波数に関する精度が変更されてもよい。これは図３および４に示されており、それらの図は、本発明の実施形態によるＣＱＩ報告フォーマットの別の２つの異なる例である。
【００２９】
図３は、２送信アンテナを有する選択送信アンテナ構成に関してＣＱＩ値を報告するためのＣＱＩ報告フォーマットの概念図である。本発明のこの実施形態では、隣接サブキャリアから成るサブキャリアグループ２は、図２の１送信アンテナを有する例に比べて２倍大きくされている。各サブキャリアグループ２に関して、２つの送信アンテナのそれぞれに対してＣＱＩ値が計算される。２つの送信アンテナ間の干渉を正確に模擬するために、ＣＱＩ推定はこのように行われる。図３によれば、各時間期間に４つのサブキャリアグループの２つの送信アンテナのそれぞれに関してＣＱＩ値が報告される（黒タイルで示される）ことが示されている。時間期間０では、サブキャリアグループ番号４、９、１４、１９のＣＱＩ値が報告され、時間期間１では、サブキャリアグループ番号２、７、１２、１７のＣＱＩ値が報告されるなどである。図２に示されている例に比べて、周波数に関する精度が粗いが、それは図３の例の各ＣＱＩ値は、より大きいサブキャリアグループのチャネル品質を代表するからである。しかし、すべてのサブキャリアに関する全部のＣＱＩ報告を行うためには、やはり５つの時間期間が必要であり、ビットの点から見て同量のＣＱＩ情報が各時間期間に報告されることになる。
【００３０】
図４は、４送信アンテナを有する選択送信アンテナ構成に関してＣＱＩを報告するＣＱＩ報告フォーマットの概念図である。本発明のこの実施形態では、隣接サブキャリアから成るサブキャリアグループ３は、図２の１送信アンテナを有する例に比べて４倍大きくされている。各サブキャリアグループ３に関して、４つの送信アンテナのそれぞれのＣＱＩ値が推定される。４つの送信アンテナ間の干渉を正確に模擬するために、ＣＱＩ推定はこのように実行される。図４によれば、各時間期間に２つのサブキャリアグループに関して４つの送信アンテナのそれぞれのＣＱＩ値が報告される（黒タイルで示される）ことが示されている。時間期間０では、サブキャリアグループ番号４および９に関してＣＱＩ値が報告され、時間期間１では、サブキャリアグループ番号２および７に関してＣＱＩ値が報告されるなどである。図３の例に比べて、ＣＱＩ報告フォーマットの周波数に関する精度が、図４に示される例ではさらに粗くなっている。
【００３１】
上述のように、複数の送信アンテナを有する選択送信アンテナ構成の場合に、周波数の代わりに時間に関してＣＱＩ報告フォーマットの精度を適応させることも可能である。このことは図５および６に示されており、これらの図では、それぞれ２送信アンテナおよび４送信アンテナを有する選択送信アンテナ構成の場合について、本発明の実施形態によるＣＱＩ報告フォーマットの例を示す。図５および６では、サブキャリアグループのサイズは図２に示される例と同じである。しかし、図５に示される２送信アンテナの場合には、各サブキャリアグループに関してＣＱＩ報告は２つのタイムスロットで行われ、２送信アンテナの中の１つの送信アンテナに関するＣＱＩ値が２つのタイムスロットのおのおので報告される。時間期間０では、第１の送信アンテナに関してサブキャリアグループ番号４、９、１４、１９、２４、２９、３４、３９のＣＱＩ値が報告され、時間期間１では、サブキャリアグループ番号４、９、１４、１９、２４、２９、３４、３９のＣＱＩ値が再び報告されるが、第２の送信アンテナに関してであり、時間期間３では、第１の送信アンテナに関してサブキャリアグループ番号２、７、１２、１７、２２、２７、３２、３７のＣＱＩ値が報告され、時間期間４では、サブキャリアグループ番号２、７、１２、１７、２２、２７、３２、３７のＣＱＩ値が再び報告されるが、第２の送信アンテナに関してであるなどである。図５では、すべてのサブキャリアに関する全部のＣＱＩ報告を行うために１０の時間期間が必要となる。図６に示されている４送信アンテナの場合には、同じように、すべてのサブキャリアに関する全部のＣＱＩ報告を行うために２０の時間期間が必要となる。各時間期間では、送信アンテナの中の１つの送信アンテナに関して８つの異なるサブキャリアグループに関係しているＣＱＩ値が報告されることになる。次の３つの時間期間中は、同じ８つのサブキャリアグループにかかわるＣＱＩ値が報告されるが、残りの３つの送信アンテナに関してである。
【００３２】
上述のように、図２〜６に示された例に関して、６００のサブキャリアのすべては同じ選択送信アンテナ構成に関連付けられていると想定した。しかし、本発明はこの想定に限定されない。異なるサブキャリアまたはサブキャリアグループに対して異なる選択送信アンテナ構成を適用することが可能である。しかし、自然な選択は、以下でさらに検討するように、複数の隣接サブキャリアグループに対して同じ選択送信アンテナ構成を適用することであろう。例えば、１送信アンテナを有する第１の選択送信アンテナ構成がシステム４２０の最初の３００のサブキャリアを備える第１のサブキャリア集合に適用され、２送信アンテナを有する第２の選択送信アンテナ構成がシステム４２０の残りの３００のサブキャリアを備える第２のサブキャリア集合に適用されると想定する場合、第１の集合に関しては図２に示されるパターンを有する第１のＣＱＩ報告フォーマットで報告され、第２の集合に関しては図３に示されるパターンを有する第２のＣＱＩ報告フォーマットで報告されてもよい。２つのサブキャリア集合に関する結果として生じた複合ＣＱＩ報告フォーマットによれば、各タイムスロットで８つのＣＱＩ値が報告され、それらの値の４つは第１の集合の４つのサブキャリアグループにかかわり、４つは２送信アンテナのおのおのに対する第２の集合の２つのサブキャリアグループにかかわるであろう。
【００３３】
異なる選択送信アンテナ構成がＯＦＤＭ信号の異なるサブキャリア集合に適用されるが、それらの異なる選択送信アンテナ構成が同じ送信アンテナの個数ｍを有する場合、それらの異なるサブキャリア集合の実際のＣＱＩ報告フォーマットは同じでもよい。しかし、異なる選択送信アンテナ構成は、異なるアンテナ順序または異なる送信アンテナを備えるアンテナサブセットにかかわってもよく、それらのアンテナ構成は、ＣＱＩ報告フォーマットは同じであるにしても、実際のＣＱＩ値に影響を及ぼすであろう。
【００３４】
図７は、本発明の一実施形態による方法を示すフロー図である。ステップ５００では、移動端末装置は相当数の送信アンテナから信号を受信するが、この信号は相当数のサブキャリアを有する。次のステップ５０１では、ＣＱＩ報告フォーマットが、サブキャリア集合に関連付けられている選択送信アンテナ構成に基づき、サブキャリア集合に対して決定される。ＣＱＩ報告フォーマットは、上述し例示したように、ＣＱＩ報告の精度が選択送信アンテナ構成の送信アンテナの個数ｍに依存するように、選択送信アンテナ構成に適応される。ステップ５０２では、決定されたＣＱＩ報告フォーマットに従ってサブキャリア集合にかかわるＰＣＱＩ個のＣＱＩ値が決定される。決定されたＣＱＩ値は、ステップ５０３で、フィードバック信号で基地局に送信される。ステップ５０２と５０３は、図２〜６と関連して先に説明したように、ＣＱＩ値の一部が同時に決定および送信されるように重なり合ってもよい。ＣＱＩ報告フォーマットの精度は、本発明の異なる実施形態によれば、選択送信アンテナ構成の送信アンテナ数に依存して、時間および／または周波数の両方に関して適応されてもよい。
【００３５】
図７の方法の一実施形態例では、ステップ５０１は、サブキャリア集合をＱ個の非重複サブキャリアグループに分割することによって、ＣＱＩ報告フォーマットの精度を周波数に関して適応させることを含む。次いでステップ５０２では、選択送信アンテナ構成の各送信アンテナに関して、サブキャリアグループ当たり１つのＣＱＩ値が決定される。
【００３６】
非重複サブキャリアグループ数Ｑは、本発明の別の実施形態例によれば、選択送信アンテナ構成のｍ個の送信アンテナに関してステップ５０２で決定されたＣＱＩ値のＰＣＱＩ数が、異なる個数の送信アンテナを有する異なる選択送信アンテナ構成に対して実質的に同じになるように、選択送信アンテナ構成の送信アンテナの個数ｍに依存してもよい。
【００３７】
図７の方法のまた別の実施形態例では、ＣＱＩ報告フォーマットは、Ｑ個のサブキャリアグループがＴ個の非重複サブセットに分割され、かつステップ５０２で決定されたＰＣＱＩ個のＣＱＩ値がＴ時間期間中にステップ５０３で送信されるように決定される。これは、１つのサブセットのサブキャリアグループにかかわるＣＱＩ値が各時間期間にステップ５０３で送信されるように行われる。これは、図２〜４に示される実施形態例と比べられてもよく、それらの図では、サブキャリアグループは、１つのサブセットのＣＱＩ値が各時間期間に報告される、５つのサブセットに分割されていると見なしてもよい。サブキャリアグループは、各時間期間にステップ５０３で送信されるＣＱＩ値の数が同じかまたは実質的に同じになるようなサブセットに分割されるのが好ましい。
【００３８】
本発明の異なる例示の実施形態によれば、選択送信アンテナ構成では、上述のようにアンテナ復号順序またはアンテナサブセットを指定してもよい。選択送信構成を指定する情報は、決定されたＣＱＩ値とともにステップ５０３で送信されるのが好ましい。
【００３９】
図１の受信部４０５は、様々な受信復号技術を用いる幾つかの異なるタイプであってもよい。基地局４００についても、多くの異なる送信技術を用いてもよい。本発明の２つの異なる実施形態例を以下に説明するが、そこでは、送信および受信に関して異なる技術が用いられている。第１の実施形態例では、受信部４０５は、ＳＩＣ受信部であり、基地局４００が用いる送信技術はＳ−ＰＡＲＣである。第２の実施形態例では、空間、時間および周波数にわたるインタリーブ符号化変調が用いられ、受信部４０５は、ＭＭＳＥ（最小平均二乗推定）受信を用いる。
【００４０】
第１の実施形態例では、ＳＩＣ受信部４０５の復号順序がＣＱＩ計算中に取得するＣＱＩ値４０９に影響を及ぼす。しかし、周波数選択的なチャネル実現の最適復号順序については、ＣＱＩ値を計算するサブキャリアグループを入れ替えてもよい。さらなる考慮事項は、ＳＩＣ受信部が信号ストリームを復号し、次いでそれを再符号化して、受信信号へのその寄与分を差し引く。このように、アンテナ復号順序は、符号化信号長に適合すべきである。
【００４１】
一般に、基地局４００が、ダウンリンク送信のためのユーザスケジューリングおよび移動端末装置４０１の様々なサブキャリア４１２への割り当ての制御を維持することは望ましい。この第１の実施形態例では、復号順序は複数のサブキャリアグループ１、２、３の全部にわたって選択されるという想定のもとに、各サブキャリアグループ１、２、３のＣＱＩ値４０９が報告される。復号順序についても、基地局４００に報告を返さなければならない。複数のサブキャリアグループ１、２、３の全部にわたる復号順序を選択する１つのアプローチは、ＳＩＣ受信に関して米国特許出願第１０８４１９１１号明細書に記載のサブセット属性に基づくものであり、図８に示されるフロー図を参照して以下に説明する。
【００４２】
ステップ６００：複数のサブキャリアグループから成る集合に関して、シングル送信アンテナが集合のすべてのサブキャリアグループの送信に使用されると想定し、各サブキャリアグループに関するレートを計算する。これをＭ個の送信アンテナのおのおのに対して（図１ではアンテナ４０３−１、４０３−２、４０３−３および４０３−４に対して）行う。
【００４３】
ステップ６０１：Ｍ個の送信アンテナのおのおのに関して、そのアンテナにかかわる総レートを得るために、集合の各サブキャリアグループに関する個別のレートを合計する。
【００４４】
ステップ６０２：最大のレートを有するアンテナをＰＡＲＣ１スキームで用いるアンテナと表示する。選択されたアンテナの個別のレートは、そのアンテナに関するサブキャリアグループのＣＱＩ値４０９として用いられる。
【００４５】
ステップ６０３：次に、２アンテナサブセットのおのおのがＰＡＲＣ１送信用に選択されたアンテナを含むように、すべての２アンテナサブセットを構成する。
【００４６】
ステップ６０４：各２アンテナサブセットに関して、ＰＡＲＣ１信号にかかわるアンテナがＰＡＲＣ２送信にも用いられると想定して、第２の送信アンテナの個別レートおよび合計レートを計算する。
【００４７】
ステップ６０５：最高のレートを有する２アンテナサブセットを選択し、そのアプローチをＰＡＲＣ２スキームと表示する。第２のアンテナの個別のレートは、第２のアンテナに関するサブキャリアグループのＣＱＩ値４０９として用いられる（前のＰＡＲＣ１のＣＱＩ値と組み合わされる）。
【００４８】
ステップ６０６：残りの送信アンテナのすべてに対して、ステップ６０３、６０４および６０５を繰り返す。
【００４９】
次いで、各送信アンテナスキームに対する復号順序は、スキームの様々な送信アンテナに関するサブキャリアグループのＣＱＩ推定値４０９とともに、基地局４００に返信される。各サブキャリアグループ１、２、３に関するＣＱＩ値４０９を返信することによって、ＳＩＣ受信部４０５のためのＣＱＩ値４０９の指定とアンテナ順序の指定との間に、周波数における異なる定量化がある。これにより、基地局４００は、ユーザおよびその関係するレートをＳＩＣ受信部の復号順序で指定されている周波数帯より小さい周波数帯部分に割り当てることで、制御を維持することが可能になる。上記で用いられた特定のアンテナ順序付けは、基地局４００が送信に使用する送信アンテナ数を選択することも可能にし、ＳＩＣ受信とともに用いられるとき当然生じる。
【００５０】
第２の実施形態例では、受信部４０５は最小二乗推定（ＭＭＳＥ）に基づいており、その動作では送信アンテナの順序付けを必要としない。この受信部４０５は、１つの送信アンテナからの信号を検出する一方で、他の送信アンテナからの信号を打ち消す。このことは、Ｓ−ＰＡＲＣ送信または空間、時間および周波数にわたる選択的ビットインタリーブ符号化変調とともに用いられてもよい。ここでは選択的ビットインタリーブ符号化変調アプローチを考慮するが、そこでは、送信アンテナおよび時間および周波数にわたって多重された１つの符号化データストリームが送信される。しかし、必要なことは、ＣＱＩ値４０９を同じ条件下で計算できるように、送信に想定されているアンテナサブセットを知ることである。このように、この第２の実施形態例では、サブキャリアから成る複数のサブキャリアグループの全部にわたって復号順序を計算し、それを基地局４００に返信するのではなく、選択送信アンテナ構成は、サブキャリアから成る複数のサブキャリアグループの全部にわたってアンテナサブセットを決めることによって決定される。アンテナサブセットおよび対応するＣＱＩ値４０９は、第１の実施形態例で用いられたやり方と似たやり方で基地局４００に送信される。
【００５１】
上記の第１および第２の実施形態例および他の実施形態では、ＣＱＩ値４０９およびアンテナ順序（またはアンテナサブセット）は、移動端末４０１から基地局４００へ確実に送信されなければならない。アンテナ順序（またはアンテナサブセット）を本明細書では送信アンテナ構成情報と呼ぶ。通常、この情報は、ある特定の性能基準を満たすように符号化される。
【００５２】
例えば図１のシステム４２０を考慮し、Ｎが報告される各ＣＱＩ値４０９のビット数、Ｌがアンテナ順序またはアンテナサブセットを指定するビット数、ｍが選択アンテナ構成の送信アンテナ数、ｑが任意の１つの時間期間にＣＱＩ値４０９が報告されるサブキャリアグループ１、２、３の数であると想定する。各サブキャリアグループのＣＱＩ値４０９を指定するためにＮ＝４ビットが用いられると想定すると、各時間期間にＣＱＩ値を報告するために用いられるビット数は、ｑｍＮ＝３２ビットである。各サブキャリアグループの要素であるサブキャリアの数に応じて、すべてのサブキャリアを構成するＯＦＤＭ信号全体の全部のＣＱＩ報告を行うためには、異なる個数の時間期間Ｔを必要とする。ＯＦＤＭ信号が、各隣接領域がサブキャリアの集合から成る隣接領域に分割され、かつアンテナ順序もしくはアンテナサブセットが各集合に対して選択される場合（ここでは、ｍは各集合に対して同じであると想定）、５つの時間期間にわたってＯＦＤＭ信号の周波数帯全体に関してＣＱＩ値４０９およびアンテナ順序を報告するために、５ｑｍＮ＋５Ｌ＝１８０ビットが必要であり、各ＣＱＩフィードバックに関して時間期間当たり３６ビットになる。
【００５３】
ＣＱＩの能力にひどく影響を及ぼすことなしにフィードバックビット数をさらに減少できたら魅力的である。本発明の一実施形態によれば、これは、フィードバック信号４０８で送信を必要とされた未加工データレートを減らすために、ＣＱＩ値４０９を表す幾つかのビットをパンクチャすることによって達成される。しかし、このパンクチャが無作為の場合、サブキャリアグループのＣＱＩ値を表すビットの中の最上位ビットが影響を受けることがあり、これではＣＱＩの能力を低下させかねない。あるいは、本発明の好ましい実施形態によれば、ＣＱＩ値４０９を表すビットの中の最下位ビット（ＬＳＢ）がアンテナ順序（またはアンテナサブセット）を表すビットで置き換えられる。上記の例では、時間期間当たり３６ビットのＣＱＩフィードバックレートを３２ビットに減少できよう。もちろん、パンクチャされたＣＱＩ値４０９のＣＱＩ精度は、レートの減少とトレードオフされる。
【００５４】
サブキャリアグループ１、２、３のすべてが、それらのＣＱＩ値４０９のＬＳＢを置換してもらうわけではない。従って、ＬＳＢをパンクチャしてもらうサブキャリアグループ１、２、３を選択するためのメカニズムが必要である。１つの選択は、ＣＱＩ値４０９の固定のセットを選択し、その対応するＬＳＢをパンクチャすることである。しかしこれは、異なるサブキャリアグループ１、２、３の全部にわたってＣＱＩの能力を不均一に減らすことがある。あるいは、サブキャリアグループ１、２、３は（疑似）ランダムパターンで選択されてもよく、対応するＣＱＩ値４０９のＬＳＢは、各サブキャリアグループがより均一に影響を受けるようにパンクチャされてもよい。
【００５５】
上記のことから当業者には明らかであろうが、本発明の実施には、先行技術の移動端末および基地局の多少の適合を必要とするであろう。自然な選択は、移動端末装置に新しいソフトウェアを装備することによって本発明を実装することであるが、ファームウェア、ハードウェア、またはそれらの組み合わせによる実装も実行可能である。移動端末４０１装置の処理部４０６は、例えば、処理部が選択送信アンテナ構成に基づきＣＱＩ報告フォーマットを決定し、ＰＣＱＩ個のＣＱＩ値を決定できるように構成されなければならないであろう。処理部のこの適合には、一般に先行技術による移動端末処理部と比べて、新しい処理部ソフトウェアを必然的に伴うであろう。移動端末装置の適合とは別に、基地局４００の処理部４０２の多少の適合も必要である。基地局４００の処理部４０２は、例えば、処理部がフィードバック信号４０８を正しく解釈できるように、すなわちＣＱＩ値および送信アンテナ構成情報を取り出し正しく解釈できるように、適合されなければならないであろう。
【００５６】
本発明の実施形態の利点は、ＣＱＩ報告に必要な帯域幅と複数の送信アンテナにかかわる送信技術とのバランスを保ち得ることである。
【００５７】
本発明の実施形態の別の利点は、幾つかの異なるタイプのシステムに適用可能なことである。そのようなシステムには、現在検討されているＬＴＥ、ＷｉＭＡＸおよび４ＧのシステムのようなＯＦＤＭシステムを含む。
【００５８】
本発明の好ましい実施形態のさらなる利点は、実装するのがかなり容易であり、既存の移動端末装置および基地局に大幅な変更を必要としないことである。
【００５９】
本発明の好ましい実施形態のまた別の利点は、ＣＱＩ報告フォーマットを複数の移動端末装置に合わせることができ、各移動端末装置に対して異なるアンテナ構成を選択可能にしていることである。
【００６０】
本発明の好ましい実施形態のまた別の利点は、最下位ビットをパンクチャし、それをアンテナ構成情報または復号順序情報で置き換えることによって、ＣＱＩフィードバックの量を減少し、移動端末装置から基地局への送信中にこの情報を保護するために、よりよい符号化レートを可能にしていることである。
【００６１】
本発明について、本発明の実施形態を記述することによってこれまで説明した。しかし、当業者なら理解するだろうように、多くの変更形態が可能である。
【００６２】
上記のことから当業者は、本発明の様々な記述された実施形態を実施するために、ソフトウェア、ファームウェアおよび／またはハードウェアのどんな変更が必要および／または適切かを認識するであろう。
【００６３】
図面および明細書では、本発明の典型的な好ましい実施形態を開示しており、特定の用語を使用しているが、それらの用語は包括的説明的意味だけで使用されており、限定目的ではない。本発明の範囲は、以下の特許請求の範囲に記載されている。
【図１】
2010532950.tif 000003
【図２】
2010532950.tif 000004
【図３】
2010532950.tif 000005
【図４】
2010532950.tif 000006
【図５】
2010532950.tif 000007
【図６】
2010532950.tif 000008
【図７】
2010532950.tif 000009
【図８】
2010532950.tif 000010
【国際調査報告】
2010532950.tif 000011
2010532950.tif 000012
2010532950.tif 000013
2010532950.tif 000014